(57)【特許請求の範囲】
【請求項１】
信号を検出すると前記信号を無線送信する盗聴器を検出するための盗聴器検出器であって、
疑似音声を発生して音声周波数帯域の疑似音声信号を出力する疑似音声発生部と、
疑似データを生成して疑似データ信号を出力する疑似データ生成部と、
前記疑似音声発生部および前記疑似データ生成部の内、少なくともいずれか一方の出力信号からデータを取得するデータ取得部と、
前記データ取得部が取得した複数の前記データを比較して前記盗聴器を検出する検出部と、
を有し、
前記疑似音声発生部は、前記疑似音声信号を増幅してスピーカを介して音波信号として出力し、
前記疑似データ生成部は、外部ネットワークに接続されて生成した前記疑似データを前記外部ネットワークを介してデジタル通信信号として出力し、
前記盗聴器は、出力された前記音波信号および前記デジタル通信信号の内いずれか一方の出力信号を受信し、該受信信号が音波信号の場合は、受信した前記音波信号で搬送波の高周波を変調してアンテナから送信し、前記受信信号が通信信号の場合は、受信した前記デジタル通信信号をアナログ信号に変換した後に高調周波数の搬送波に変調して前記アンテナから送信し、
前記データ取得部は複数設けられ、該データ取得部は、前記盗聴器から入力するデータの受信周波数帯域が所定の帯域幅で複数分割されて前記受信周波数帯域ごとにそれぞれ割り当てられ、前記データ取得部が各々並列処理を同時に行って分割された受信周波数ごとに周波数スペクトルを取得し、
前記検出部は、前記複数のデータを記録し、前記出力信号の出力期間中に取得した記録データが、前記出力信号の出力期間外に取得した記録データと異なる場合に前記盗聴器が存在していると判断する
盗聴器検出器。
【発明の詳細な説明】
【技術分野】
【０００１】
本発明は、盗聴器の検出を行う盗聴器検出器および盗聴器検出方法に関するものである。
【背景技術】
【０００２】
盗聴器が発する電波信号を検出して盗聴器の有無を判断する盗聴器検出器や、スピーカを用いて音波信号を発信させ、そのスピーカから発せられた音波信号が盗聴器から電波信号として発せられていないかを検出して盗聴器を検出する盗聴器検出器が知られている（たとえば特許文献１を参照）。
【０００３】
盗聴器検出方法には種々のものがあるが、その方法の一つに、受信信号の周波数スペクトルのレベル差に基づいて判断するものがある（たとえば特許文献２を参照）。
【特許文献１】特許第３７５８４９７号公報
【特許文献２】特表２００３−５１３３９０号公報
【発明の開示】
【発明が解決しようとする課題】
【０００４】
たとえば周波数スペクトルに基づいて盗聴器を検出する方式の盗聴器検出器では、受信した電波信号が盗聴器のものか、あるいは携帯電話機や無線機等の無線端末から送信されたものか判別が困難となる場合がある。
【０００５】
また、音の変化がない状態が続く場合、あるいは音の検出期間中のみ電波信号を発信する方式（以下、ＶＯＸ方式と表記する）の盗聴器の場合、上述した盗聴器検出方法が適応できない場合がある。
【０００６】
また、盗聴器には、音声だけではなくデジタル等のデータを盗聴する盗聴器が存在する。たとえば引用文献２のようにＶＯＸ方式の盗聴器に対応した盗聴器検出器が考案されているが、データの盗聴が可能な盗聴器を検出することはできない欠点がある。
【０００７】
本発明は、いかなる環境下にあっても盗聴器を的確に検出できる盗聴器検出器および盗聴器検出方法を提供することにある。
【課題を解決するための手段】
【０００８】
本発明の第１の観点の盗聴器検出器は、信号を検出すると前記信号を無線送信する盗聴器を検出するための盗聴器検出器であって、疑似音声を発生して音声周波数帯域の疑似音声信号を出力する疑似音声発生部と、疑似データを生成して疑似データ信号を出力する疑似データ生成部と、前記疑似音声発生部および前記疑似データ生成部の内、少なくともいずれか一方の出力信号からデータを取得するデータ取得部と、前記データ取得部が取得した複数の前記データを比較して前記盗聴器を検出する検出部と、を有し、前記疑似音声発生部は、前記疑似音声信号を増幅してスピーカを介して音波信号として出力し、前記疑似データ生成部は、外部ネットワークに接続されて生成した前記疑似データを前記外部ネットワークを介してデジタル通信信号として出力し、前記盗聴器は、出力された前記音波信号および前記デジタル通信信号の内いずれか一方の出力信号を受信し、該受信信号が音波信号の場合は、受信した前記音波信号で搬送波の高周波を変調してアンテナから送信し、前記受信信号が通信信号の場合は、受信した前記デジタル通信信号をアナログ信号に変換した後に高調周波数の搬送波に変調して前記アンテナから送信し、前記データ取得部は複数設けられ、該データ取得部は、前記盗聴器から入力するデータの受信周波数帯域が所定の帯域幅で複数分割されて前記受信周波数帯域ごとにそれぞれ割り当てられ、前記データ取得部が各々並列処理を同時に行って分割された受信周波数ごとに周波数スペクトルを取得し、前記検出部は、前記複数のデータを記録し、前記出力信号の出力期間中に取得した記録データが、前記出力信号の出力期間外に取得した記録データと異なる場合に前記盗聴器が存在していると判断する。
【０００９】
好適には、前記データ取得部は、スペクトルのデータを取得し、前記検出部は、取得された前記スペクトルのレベル差を比較して盗聴器の有無を判断する。
【００１０】
好適には、前記データ取得部は、前記出力信号の出力開始前の第１記録データと、出力期間中の第２記録データと、出力終了後の第３記録データとをそれぞれ取得し、前記検出部は、前記第２記録データが前記第１および第３記録データと異なる場合に、前記盗聴器が存在していると判断する。
【００１２】
好適には、盗聴器検出器は、電波信号を受信する受信回路を有し、前記受信回路は、少なくとも一以上の前記データ取得部を含む。
【００１３】
好適には、前記疑似データ生成部は、所定のネットワークに接続され、データ通信が可能な端末装置であって、前記端末装置は、前記ネットワークに接続された他の端末装置からの制御によって前記疑似データを生成し、前記検出部が前記盗聴器を検出する。
【００１４】
本発明の第２の観点の盗聴器検出方法は、信号を検出すると前記信号を無線送信する盗聴器を検出するための盗聴器検出器であって、疑似データを生成し、前記疑似データを信号として出力する第１ステップと、前記出力された信号からデータを取得する第２ステップと、複数の前記データをそれぞれ比較して前記盗聴器を検出する第３ステップと、を有し、前記第３ステップにおいては、前記複数のデータを記録し、前記信号の出力期間中に取得した記録データが、前記信号の出力期間外に取得した記録データと異なる場合に前記盗聴器が存在していると判断する。
【発明の効果】
【００１５】
本発明によれば、いかなる環境下にあっても盗聴器を的確に検出できる盗聴器検出器および盗聴器検出方法を提供できる。
【発明を実施するための最良の形態】
【００１６】
以下、本発明の実施形態を図面に関連付けて説明する。
【００１７】
（第１実施形態）
図１は、第１実施形態に係る盗聴器検出器の一実施形態を示すブロック図である。
【００１８】
図１に示す盗聴器検出器１０は、受信アンテナ１１、受信回路１２、データ取得部１２１、マイクロコンピュータ１３、アナログ−デジタル変換器１３１、信号処理回路１３２、メモリ１３３、切り替えスイッチ１４、疑似音声発生部１５、アンプ１５１、スピーカ１５２、疑似データ生成部１６、および表示部１７を有する。
【００１９】
受信アンテナ１１は、盗聴器２０が発信している電波信号を受信する。
【００２０】
受信回路１２は、データ取得部１２１を有する。また、受信回路１２は、たとえば図示していない高周波同調器や中間周波数変換器等により、受信した電波信号から中間周波数帯域の信号を取り出し、データ取得部１２１に出力する。
【００２１】
データ取得部１２１は、疑似音声発生部１５または疑似データ生成部１６が出力する信号に同期して周波数を掃引し、周波数スペクトルを取得する。そして、データ取得部１２１は、取得した周波数スペクトルをアナログ−デジタル変換器１３１を介して信号処理回路１３２に出力する。
【００２２】
マイクロコンピュータ１３は、本発明の検出部に対応しており、アナログ−デジタル変換器１３１、信号処理回路１３２、およびメモリ１３３を有する。また、マイクロコンピュータ１３は、盗聴器検出器１０の全体の制御、たとえば受信回路１２、アナログ−デジタル変換器１３１、信号処理回路１３２、メモリ１３３、切り替えスイッチ１４、疑似音声発生部１５、疑似データ生成部１６、および表示部１７の制御を行う。
【００２３】
また、マイクロコンピュータ１３は、データ取得部１２１が取得したスペクトルデータを基に盗聴器２０を検出する。
【００２４】
アナログ−デジタル変換器１３１は、データ取得部１２１からアナログ信号の周波数スペクトルの信号が入力され、デジタル信号に変換した後、信号処理回路１３２に出力する。
【００２５】
信号処理回路１３２は、アナログ−デジタル変換器１３１にてデジタル信号に変換された周波数スペクトルのデータが入力され、統計的な処理を行った後、処理された周波数スペクトルのデータを比較して盗聴器を検出する。
【００２６】
また、信号処理回路１３２は、アナログ−デジタル変換器１３１を介して入力された周波数スペクトルをメモリ１３３に書き込む。
【００２７】
メモリ１３３は、信号処理回路１３２から周波数スペクトルが入力され、所定期間記録する。この記録期間は、たとえば盗聴器２０の検出開始から終了まで等、特に限定されない。また、メモリ１３３は、マイクロコンピュータ１３の制御に基づいて記録された周波数スペクトルのデータを信号処理回路１３２に出力する。
【００２８】
切り替えスイッチ１４は、マイクロコンピュータ１３からの制御信号により、疑似音声発生部１５または疑似データ生成部１６のいずれか一方に切り替える。
【００２９】
疑似音声発生部１５は、アンプ１５１を有する。疑似音声発生部１５は、切り替えスイッチ１４によって疑似音声発生部１５が選択された場合、マイクロコンピュータ１３の制御信号に応じて所望する音声周波数帯域の音声信号を発生させ、アンプ１５１で音声信号を増幅させた後、スピーカ１５２を介して音波信号として出力する。
【００３０】
本実施形態では、疑似音声発生部１５が音声信号の周波数を変化させながら、スピーカ１５２を介して音波信号を発信させて盗聴器２０を検出する。
【００３１】
アンプ１５１は、音声信号を増幅してスピーカ１５２に出力する。
【００３２】
スピーカ１５２は、疑似音声発生部１５から入力された音声信号に基づいて、音波信号を発信する。
【００３３】
疑似データ生成部１６は、切り替えスイッチ１４によって疑似データ生成部１６が選択された場合、マイクロコンピュータ１３の制御信号に応じて所望するデジタルデータを生成する。このデジタルデータの内容等は特に限定されない。また、疑似データ生成部１６は、外部ネットワーク１８に接続されており、生成したデータを外部ネットワークを介して他の無線通信端末等に出力する。
【００３４】
表示部１７は、マイクロコンピュータ１３から制御信号が入力され、たとえば盗聴器の検出結果等、所定の情報を表示する。なお、表示部１７は、ブザー等であってもよく、その構成は本実施形態に限定されない。
【００３５】
外部ネットワーク１８は、ＬＡＮ（Local Area Network）や広域通信網であって、疑似データ生成部１６、有線あるいは無線の通信端末等が接続されている。
また、本実施例では、たとえばデジタルのデータ等を盗聴して電波送信が可能な盗聴器２０が外部ネットワーク１８に接続されているとする。
【００３６】
盗聴器２０は、マイクロフォン２１、およびアンテナ２２を有する。この盗聴器２０は、たとえばＶＯＸ方式の盗聴器であって、盗聴器検出器１０のスピーカ１５２が発信している音波信号、または外部ネットワーク１８を介して疑似データ生成部１６が生成したデータを受信し、その受信信号で搬送波の高周波を変調して、アンテナ２２を介して送出する。
【００３７】
次に、本実施形態に係る盗聴器検出方法について説明する。ただし、説明の簡単化のため、疑似音声発生部１５が切り替えスイッチ１４により選択されているとする。
【００３８】
図２は、本実施形態に係る盗聴器検出方法の一例を説明するための図である。図２（１）は疑似音声発生部１５が出力する信号のタイミングを、図２（２）は周波数スペクトルの取得周期をそれぞれ示す。
【００３９】
（期間ｔ１）
図２に示す期間ｔ１において、図２（２）に示すように、データ取得部１２１が、所定周期で周波数を掃引して周波数スペクトルを取得し、信号処理回路１３２に出力する。その後、信号処理回路１３２が、周波数スペクトルをメモリ１３３に記録する（図２の期間ｔ１に相当する）。
【００４０】
この期間ｔ１に記録された周波数スペクトルのデータを第１記録データとする。図２（ａ）は、このときの周波数スペクトルの一例である。なお、データ取得部１２１が周波数スペクトルを取得する周期は、任意の周期であり、特に限定されない。
【００４１】
（期間ｔ２）
その後、図２に示す期間ｔ２において、図２（１）に示すように、疑似音声発生部１５が音声信号を出力する。盗聴器２０は、たとえば受信した音波信号で搬送波の高周波を変調して信号を電波送信する。
【００４２】
そして、データ取得部１２１は、この音声信号に同期して周波数を掃引して周波数スペクトルを取得し、信号処理回路１３２に出力する。その後、信号処理回路１３２が周波数スペクトルをメモリ１３３に記録する。また、疑似音声発生部１５が音声信号を出力している期間（図２の期間ｔ２に相当する）、信号処理回路１３２は、周期的にメモリ１３３に記録する。
【００４３】
この期間ｔ２に記録された周波数スペクトルのデータを第２記録データとする。図２（ｂ）は、このときの周波数スペクトルの一例である。
【００４４】
（期間ｔ３）
図２（１）に示すように、疑似音声発生部１５が音声信号の出力を停止したとする。データ取得部１２１は、この音声信号に同期して周波数を掃引して周波数スペクトルを取得し、信号処理回路１３２に出力する。その後、信号処理回路１３２が、周波数スペクトルをメモリ１３３に記録する。以後、データ取得部１２１は、周期的に周波数スペクトルを取得し、信号処理回路１３２は、周波数スペクトルをメモリ１３３に記録する。（図２の期間ｔ３に相当する）。
【００４５】
この期間ｔ３に記録された周波数スペクトルのデータを第３記録データとする。図２（ｃ）は、このときの周波数スペクトルの一例である。
【００４６】
図２の例において、第２記録データの周波数スペクトルは、他の記録データのものと異なり、突出したキャリアが発生している。これは、盗聴器２０が疑似音声発生部１５の出力信号を受信して電波送信し、受信回路１２が盗聴器２０が発している電波信号を受信したからである。したがって、疑似音声発生部１５の信号出力期間に取得した第２記録データの受信レベルは、他のものと比較して高くなる。換言すれば、図２の各記録データは、盗聴器２０の存在を示唆している。
【００４７】
信号処理回路１３２は、第１〜第３記録データをメモリ１３３から読み出して、記録データごとに統計的処理を施し、それぞれを比較する。図２の例の場合、第２記録データが第１および第３記録データと異なることから、信号処理回路１３２は、盗聴器２０が存在していると判断する。
【００４８】
次に、疑似データ生成部１６が切り替えスイッチ１４により選択されている場合について説明する。
【００４９】
上述の疑似音声発生部１５との違いは、疑似データ生成部１６が音声信号の代わりにデジタルのデータを生成することである。また、盗聴器２０は、音声信号を受信する代わりに、デジタルのデータを受信する。
【００５０】
具体的には、疑似データ生成部１６は、デジタルのデータを生成し、外部ネットワーク１８に出力する。そして、外部ネットワーク１８に接続されている盗聴器２０は、たとえば外部ネットワーク１８を介して疑似データ生成部１６からデジタルのデータを受信し、アナログの信号に変換した後、高調周波数の搬送波等に変調して送信する。
【００５１】
疑似データ生成部１６が選択された場合の盗聴器検出方法は、疑似音声発生部１５を疑似データ生成部１６に置き換えたものと同様であるため、その詳細な説明は割愛する。
【００５２】
次に、本盗聴器検出方法を採用した盗聴器検出器１０の動作の一例について、図３を参照しながら図２に関連づけて説明する。ただし、説明の簡単化のため、疑似音声発生部１５が切り替えスイッチ１４により選択されているものとする。
【００５３】
図３は、実施形態に係る盗聴器検出方法を採用した盗聴器検出器の動作の一例を示すフローチャートである。
【００５４】
（ステップＳＴ１）
盗聴器検出器１０のデータ取得部１２１は、周波数を掃引して周波数スペクトルを取得し、アナログ−デジタル変換器１３１に出力する。
【００５５】
アナログ−デジタル変換器１３１は、入力された周波数スペクトルのデータをアナログからデジタルの信号に変換した後、信号処理回路１３２に出力する。そして信号処理回路１３２は、このデータをメモリ１３３に記録する。
【００５６】
なお、本ステップの処理は、図２の期間ｔ１における処理に対応し、所定周期ごとに繰り返される。また、この期間に取得された周波数スペクトルは、図２に図示する第１記録データに対応している。
【００５７】
（ステップＳＴ２）
疑似音声発生部１５は、マイクロコンピュータ１３からの制御信号により所定周波数の音声信号を発生し、アンプ１５１にて音声信号を増幅させた後、スピーカ１５２を介して発信させる。
【００５８】
（ステップＳＴ３）
盗聴器２０は、盗聴器検出器１０のスピーカ１５２が発信した音波信号をマイクロフォン２１で受信する。そして、盗聴器は、受信信号を搬送波に変調し、アンテナ２２を介して電波送信する。
【００５９】
盗聴器検出器１０の受信回路１２は、受信アンテナ１１を介して受信した信号に所定の処理を行って中間周波数帯域の信号に変換し、データ取得部１２１に出力する。
【００６０】
データ取得部１２１は、入力信号から周波数を掃引して周波数スペクトルを取得し、アナログ−デジタル変換器１３１に出力する。
【００６１】
アナログ−デジタル変換器１３１は、入力された周波数スペクトルのデータをアナログからデジタルの信号に変換した後、信号処理回路１３２に出力する。そして信号処理回路１３２は、このデータをメモリ１３３に記録する。
【００６２】
疑似音声発生部１５は、発生させる音声信号の周波数を変化させ（たとえばステップＳＴ２における周波数よりも高い周波数の音声信号）、ステップＳＴ２における処理と同様の処理を行う。つづいて、第３ステップＳＴ３と同様の処理を行う。
ステップＳＴ２およびＳＴ３の処理は、疑似音声発生部１５が発生させる音声信号の周波数が所定周波数に達するまで行われる。この所定周波数は、たとえば盗聴器２０が受信可能な周波数であって、特に限定されない。
【００６３】
なお、ステップＳＴ２およびＳＴ３の処理は、図２の期間ｔ２における処理に対応し、所定周期ごとに繰り返される。また、この期間に取得された周波数スペクトルは、図２に図示する第２記録データに対応している。
【００６４】
（ステップＳＴ４）
ステップＳＴ４では、疑似音声発生部１５が発生させる音声信号の周波数が所定周波数に達したか否かを判断する。
前述の周波数が所定周波数に達していない場合（ＮＯ）、ステップＳＴ２の処理に戻る。
前述の周波数が所定周波数に達した場合（ＹＥＳ）、ステップ５の処理を行う。
【００６５】
（ステップＳＴ５）
前述の周波数が所定周波数に達した時点で、再び盗聴器検出器１０のデータ取得部１２１が、周波数を掃引して周波数スペクトルを取得し、アナログ−デジタル変換器１３１に出力する。
【００６６】
アナログ−デジタル変換器１３１は、入力された周波数スペクトルのデータをアナログからデジタルの信号に変換した後、信号処理回路１３２に出力する。そして信号処理回路１３２は、このデータをメモリ１３３に記録する。
【００６７】
なお、本ステップの処理は、図２の期間ｔ３における処理に対応し、所定周期ごとに繰り返される。また、この期間の周波数スペクトルは、図２に図示する第３記録データに対応している。
【００６８】
（ステップＳＴ６）
信号処理回路１３２は、上述した第１〜第３記録データをメモリ１３３から読み出して、記録データごとに統計的処理を施してそれぞれ比較する。たとえば、図２のように、第２記録データが第１および第３記録データと異なる場合、信号処理回路１３２は、盗聴器２０が存在していると判断する。
逆に、第２記録データが第１および第３記録データと比較して、周波数スペクトルの受信レベルに変化がない場合、信号処理回路１３２は、盗聴器２０が存在していないと判断する。
【００６９】
（ステップＳＴ７）
マイクロコンピュータ１３は、ステップＳＴ６における盗聴器２０の検出結果に応じて、表示部１７を制御して検出結果を表示する。
【００７０】
疑似データ生成部１６が選択された場合は、疑似音声発生部１５を疑似データ生成部１６に置き換えたものと同様である。この場合、盗聴器検出器１０は、上述したステップＳＴ１〜ステップＳＴ６の処理を行う。
【００７１】
具体的には、ステップＳＴ２において、疑似データ生成部１６はデータを生成し、外部ネットワーク１８を介して他の端末機器等に出力する。また、ステップＳＴ４においては、疑似データ生成部１６が生成するパケット量等が所定の量に達したか否かを判断する。
【００７２】
上述したように、本実施形態によれば、疑似音声発生部１５が音声を発生、あるいは疑似データ生成部１６がデータを生成し、盗聴器２０がこれらの音声やデータを受信した後に電波送信する。データ取得部１２１が、疑似音声発生部１５あるいは疑似データ生成部１６の出力信号に同期して、受信回路１２にて変調された信号から周波数スペクトルを取得し、メモリ１３３がこの周波数スペクトルを記録する。
【００７３】
信号処理回路１３２は、疑似音声発生部１５あるいは疑似データ生成部１６が信号を出力する前後、および信号生成出力中の記録データから周波数スペクトルをそれぞれ比較する。そして、信号処理回路１３２は、前述の信号生成出力中の記録データの周波数スペクトルが信号出力前後のものと異なる場合に、盗聴器２０が存在すると判断する。
【００７４】
したがって、本実施形態によれば、図４に示すように、複数のキャリアが発生するような環境下であっても、盗聴器検出器が受信した電波信号が盗聴器のものか、あるいは携帯電話機や無線機等の無線端末から送信されたものか判別が容易となる利点がある。
【００７５】
また、本実施形態によれば、盗聴器検出器が出力する信号に同期して周波数スペクトルを取得するため、音の変化がない状態が続く場合、あるいはＶＯＸ方式の盗聴器の場合でもその検出が容易となる利点がある。
【００７６】
また、本実施形態によれば、音声だけでなくデジタル等のデータが盗聴可能な盗聴器に対しても有効である利点がある。
【００７７】
さらに、本実施形態によれば、周波数スペクトルに基づいて盗聴器の検出が行われる。したがって、本盗聴器検出器は、変調方式に合わせた復調回路を必要とせず、アナログ変調あるいはデジタル変調の区別なく盗聴器を検出できる利点がある。
【００７８】
（第２実施形態）
次に、本発明に係る第２実施形態について説明する。
【００７９】
図５は、第２実施形態に係る盗聴器検出器の一実施形態を示すブロック図である。
【００８０】
本実施形態に係る盗聴器検出器１０ａでは、受信回路１２ａが第１実施形態に係るデータ取得部１２１を複数有する。また、本実施形態では、スペクトルの周波数帯域を分割し、各々のデータ取得部が並列処理を行って周波数スペクトルを取得する。
【００８１】
具体的には、図５に示すように、受信回路１２ａが第１データ取得部１２１ａおよび第２データ取得部１２１ｂを有する。
【００８２】
また、本実施形態では、各データ取得部で取得される周波数スペクトルの周波数帯域が、所定の周波数帯域幅で２分割される。たとえば、第１データ取得部１２１ａは、第１の周波数帯域における周波数スペクトルの取得を行う。また同時に、第２データ取得部１２１ｂは、第２の周波数帯域における周波数スペクトルの取得を行う。
【００８３】
上述のように本実施形態では、周波数帯域を分割し、第１および第２データ取得部がそれぞれ割り当てられた周波数帯域ごとに周波数スペクトルの取得を同時に行うため、第１実施形態にて得られる効果だけではなく、盗聴器の検出が高速に実行できる。
【００８４】
なお、本実施形態では、受信回路１２ａが有するデータ取得部の数は任意に決定できる。この場合、周波数スペクトルの周波数帯域の分割数は、データ取得部の数に応じて決定すればよい。
【００８５】
次に、本発明に係る第３実施形態について説明する。
【００８６】
図６は、第３実施形態に係る盗聴器検出器の一実施形態を示すブロック図である。
【００８７】
本実施形態に係る盗聴器検出器１０ｂは、第１実施形態に係る疑似データ生成部１６をデータ生成およびデータ通信が可能な端末装置１６ａに置き換えたものである。この端末装置は、たとえばパーソナルコンピュータ（Personal Computer）であって、その内部構成等は特に限定されない。
【００８８】
端末装置１６ａは、外部ネットワーク１８と接続されており、この外部ネットワーク１８に接続された他のパーソナルコンピュータ等の端末装置からの制御によって、データを生成し、盗聴器２０の検出を行う。したがって、本実施形態では、盗聴器検出器１０ｂが盗聴器検出結果を表示部１７に表示させるだけではなく、端末装置１６ａに盗聴器検出結果のデータを外部ネットワーク１８を介して他の端末装置に送信することができる。
【００８９】
上述のように、本実施形態では、データの生成に端末装置を使用することにより、第１実施形態にて得られる効果だけではなく、外部ネットワーク上の他の端末装置から盗聴器の検出を実行できる。
【００９０】
また、本発明は、本盗聴器検出方法（たとえば図３に示すステップＳＴ１〜ステップＳＴ７）が実行可能であれば、盗聴器検出器の構成等は本実施形態に限定されない。また、本発明は、たとえば第２および第３実施形態を組み合わせて使用することもできる。
【図面の簡単な説明】
【００９１】
【図１】第１実施形態に係る盗聴器検出器の一実施形態を示すブロック図である。
【図２】第１実施形態に係る盗聴器検出方法の一例を説明するための図である。
【図３】第１実施形態に係る盗聴器検出方法を採用した盗聴器検出器の動作の一例を示すフローチャートである。
【図４】周波数スペクトルの一例を示す図である。
【図５】第２実施形態に係る盗聴器検出器の一実施形態を示すブロック図である。
【図６】第３実施形態に係る盗聴器検出器の一実施形態を示すブロック図である。
【符号の説明】
【００９２】
１０…盗聴器検出器、１１…受信アンテナ、１２…受信回路、１２１、１２１ａ、１２１ｂ…データ取得部、１３…マイクロコンピュータ（検出部）、１３１…アナログ−デジタル変換器、１３２…信号処理回路、１３３…メモリ、１４…切り替えスイッチ、１５…疑似音声発生部、１５１…アンプ、１５２…スピーカ、１６…疑似データ生成部、１６ａ…端末装置、１７…表示部、１８…外部ネットワーク、２０…盗聴器、２１…マイクロフォン、２２…（盗聴器の）アンテナ。
【図１】
0004739287.tif 000002
【図２】
0004739287.tif 000003
【図３】
0004739287.tif 000004
【図４】
0004739287.tif 000005
【図５】
0004739287.tif 000006
【図６】
0004739287.tif 000007